(57)【要約】【課題】洗濯物を傷ませずに乾燥させ得るようにする。【解決手段】温風供給装置による温風の供給をしながら、撹拌体を単独で回転させずに、槽をほゞ終始低速で回転させる乾燥運転を実行する。これにより、洗濯物に対する温風の均一な当たりは、槽の回転のみによってなされるようになるが、その回転は低速での回転であるから、洗濯物に対する温風の当たりを適度にしつつ、温風の吹き込み部分に対する洗濯物の位置変えが充分になされる。そして、その場合、撹拌体を単独で回転させることがないので、洗濯物に撹拌体の回転による機械力が与えられることがなくなり、よって洗濯物の傷みの発生を少なくできる。【選択図】　図１
2004097529.tif 000002
【特許請求の範囲】
【請求項１】
洗濯物を収容する槽と、この槽の内部に配設された撹拌体と、この撹拌体及び前記槽を回転駆動する駆動装置と、前記槽の内部に温風を供給する温風供給装置とを具備し、それらによって洗濯物の洗濯と脱水及び乾燥を行うものにおいて、
前記温風供給装置による温風の供給をしながら、前記撹拌体を単独で回転させずに、槽をほゞ終始低速で回転させる乾燥運転を実行するようにしたことを特徴とする洗濯乾燥機。
【請求項２】
洗濯物を収容する槽と、この槽の底部をほゞ全部覆う大きさのなべ底形で該槽の内部に配設された撹拌体と、この撹拌体及び前記槽を回転駆動する駆動装置と、前記槽の内部に温風を供給する温風供給装置とを具備し、それらによって洗濯物の洗濯と脱水及び乾燥を行うものにおいて、
前記温風供給装置による温風の供給をしながら、前記槽を回転させずに、撹拌体をほゞ終始低速で回転させる乾燥運転を実行するようにしたことを特徴とする洗濯乾燥機。
【請求項３】
洗濯物を収容する槽と、この槽を回転駆動する駆動装置と、前記槽の内部に温風を供給する温風供給装置とを具備し、それらによって洗濯物の洗濯と脱水及び乾燥を行うものにおいて、
前記温風供給装置により供給する温風の温度をほゞ終始低くして乾燥運転を実行するようにしたことを特徴とする洗濯乾燥機。
【請求項４】
洗濯物を収容する槽と、この槽の内部に配設された撹拌体と、この撹拌体及び前記槽を回転駆動する駆動装置と、前記槽の内部に温風を供給する温風供給装置とを具備し、それらによって洗濯物の洗濯と脱水及び乾燥を行うものにおいて、
前記槽の内部に前記撹拌体から離間して設置される乾燥棚を具備することを特徴とする洗濯乾燥機。
【請求項５】
乾燥棚が複数段に設置されることを特徴とする請求項４記載の洗濯乾燥機。
【請求項６】
乾燥棚を使用する乾燥時に、撹拌体を回転させることを特徴とする請求項４記載の洗濯乾燥機。
【請求項７】
温風供給装置が供給する温風を槽の内部に吹き込む温風吹込口に、その温風を槽の内部に満遍なく行き渡らせる風向板を具えたことを特徴とする請求項１ないし４のいずれかに記載の洗濯乾燥機。
【発明の詳細な説明】
【０００１】
【発明の属する技術分野】
本発明は、乾燥運転の実行内容を改良した洗濯乾燥機に関する。
【０００２】
【従来の技術】
洗濯乾燥機は、洗濯物の洗濯と脱水、そして乾燥ができるものである（例えば特許文献１参照）。このものは、乾燥運転を、洗濯物が収容された槽の内部に温風を供給しながら、槽の回転と、該槽の内部に設けられた撹拌体の回転とを交互に行って実行するようになっている。
【０００３】
【特許文献１】
特開２００２−１５９７８１号公報（第５〜第６頁、図２，３，５，６）
【０００４】
【発明が解決しようとする課題】
上記従来の洗濯乾燥機において、乾燥運転を、槽の内部に温風を供給しながら、槽の回転と撹拌体の回転とを交互に行って実行するのは、その槽の回転と撹拌体の回転とにより洗濯物の位置変えをして、洗濯物に対する温風の当たりを極力均一にし、もって均一な乾燥効果を得るためである。
しかしながら、この乾燥運転における撹拌体の回転は、洗濯物に直接的に過度の機械力を与えるもので、それにより、洗濯物の傷みが多く発生するという問題点を有していた。
又、乾燥運転においては、温風の熱で洗濯物に傷みが発生するという問題点をも有していた。
【０００５】
本発明は上述の事情に鑑みてなされたものであり、従ってその目的は、洗濯物を傷ませずに乾燥させることのできる洗濯乾燥機を提供するにある。
【０００６】
【課題を解決するための手段】
上記目的を達成するために、本発明の洗濯乾燥機は、第１に、洗濯物を収容する槽と、この槽の内部に配設された撹拌体と、この撹拌体及び前記槽を回転駆動する駆動装置と、前記槽の内部に温風を供給する温風供給装置とを具備し、それらによって洗濯物の洗濯と脱水及び乾燥を行うものにおいて、前記温風供給装置による温風の供給をしながら、前記撹拌体を単独で回転させずに、槽をほゞ終始低速で回転させる乾燥運転を実行するようにしたことを特徴とする（請求項１の発明）。
【０００７】
このものによれば、洗濯物に対する温風の均一な当たりは、槽の回転のみによってなされるようになるが、その回転は低速での回転であるから、洗濯物に対する温風の当たりを適度にしつつ、温風の吹き込み部分に対する洗濯物の位置変えが充分になされる。よって、洗濯物を均一に乾燥させるのに充分な効果が得られるものであり、そして、その場合、撹拌体を単独で回転させることがないので、洗濯物に撹拌体の回転による機械力が与えられることがなくなり、よって洗濯物の傷みの発生を少なくできる。
【０００８】
本発明の洗濯乾燥機は、第２に、洗濯物を収容する槽と、この槽の底部をほゞ全部覆う大きさのなべ底形で該槽の内部に配設された撹拌体と、この撹拌体及び前記槽を回転駆動する駆動装置と、前記槽の内部に温風を供給する温風供給装置とを具備し、それらによって洗濯物の洗濯と脱水及び乾燥を行うものにおいて、前記温風供給装置による温風の供給をしながら、前記槽を回転させずに、撹拌体をほゞ終始低速で回転させる乾燥運転を実行するようにしたことを特徴とする（請求項２の発明）。
【０００９】
このものによれば、洗濯物に対する温風の均一な当たりは、撹拌体の回転のみによってなされるようになるが、その撹拌体は槽の底部をほゞ全部覆う大きさのなべ底形であって、更にその回転は低速での回転であるから、洗濯物をその上に載せて洗濯物の位置変えがなされるようになる。よって、洗濯物に撹拌体の回転による機械力が与えられることがなくなり、よって洗濯物の傷みの発生も少なくなる。
【００１０】
本発明の洗濯乾燥機は、第３に、洗濯物を収容する槽と、この槽を回転駆動する駆動装置と、前記槽の内部に温風を供給する温風供給装置とを具備し、それらによって洗濯物の洗濯と脱水及び乾燥を行うものにおいて、前記温風供給装置により供給する温風の温度をほゞ終始低くして乾燥運転を実行するようにしたことを特徴とする（請求項３の発明）。
このものによれば、温風の温度を低くして乾燥運転を実行するから、熱による洗濯物の傷みがなくされる。
【００１１】
本発明の洗濯乾燥機は、第４に、洗濯物を収容する槽と、この槽の内部に配設された撹拌体と、この撹拌体及び前記槽を回転駆動する駆動装置と、前記槽の内部に温風を供給する温風供給装置とを具備し、それらによって洗濯物の洗濯と脱水及び乾燥を行うものにおいて、前記槽の内部に前記撹拌体から離間して設置される乾燥棚を具備することを特徴とする（請求項４の発明）。
このものによれば、撹拌体の回転による機械力が洗濯物に及ぶことが乾燥棚によって避けられる。
【００１２】
この場合、乾燥棚は、複数段に設置されるものとすると良い（請求項５の発明）。
このものでは、乾燥棚を使って多くの洗濯物を乾燥させ得るし、あるいは温風の熱に強い洗濯物と弱い洗濯物など、洗濯物の種類別の乾燥が分けてできる。
【００１３】
又、乾燥棚を使用する乾燥時には、撹拌体を回転させると良い（請求項６の発明）。
このものでは、撹拌体の回転によって、槽内の温風の分布を均一化できることにより、乾燥時間の短縮化に効果がある。
【００１４】
更に、温風供給装置が供給する温風を槽の内部に吹き込む温風吹込口には、その温風を槽の内部に満遍なく行き渡らせる風向板を具えると良い（請求項７の発明）。
このものでは、風向板によって槽内の温風の分布を均一化できることにより、上述同様、乾燥時間の短縮化に効果がある。
【００１５】
【発明の実施の形態】
以下、本発明の第１実施例につき、図１ないし図４を参照して説明する。
まず、図２には、洗濯乾燥機の全体構成を示しており、外箱１の内部に桶２を配設している。桶２は有底の円筒形を成しており、一方、外箱１は下面に開口部３を有する直方体状を成していて、この外箱１の上部から吊下した複数本の吊り棒４ａを主体とする支持機構４により桶２を、その軸心線が上下方向となる縦軸状に、そして揺動可能に支持している。
【００１６】
桶２の内部には槽５を同じく縦軸状に、そして回転可能に配設しており、この槽５も有底の円筒形を成し、その上縁部には回転バランサ６を設け、その下方の内周側部の複数箇所に、図示しないフィルタを取付けるためのフィルタ台２ａを設けている。なお、このフィルタ台２ａに取付けるフィルタは、後述する洗濯水中からリント（糸屑）を捕獲する例えばネットの袋から成るものである。
槽５の内部の下部には撹拌体７を配設しており、この撹拌体７と槽５とを回転駆動する一般にモータを主体とする駆動装置８（詳しくは図示せず）を、桶２の外下方部に配設している。
【００１７】
一方、桶２の上縁部にはリング状の桶カバー９を取付けており、この桶カバー９に、内蓋１０を後側（図中左側）でヒンジ１１により上下に開閉可能に枢着している。
内蓋１０には、例えば複数の横長スリットから成る通気孔１２を形成しており、その裏側には、通気孔１２の全部を覆うフィルタ１３を取付けている。このフィルタ１３は、後述する温風からリントを捕獲する例えばネットや繊維シート等から成っている。
【００１８】
そして、前記外箱１上にはトップカバー１４を装着しており、このトップカバー１４には、上記内蓋１０、ひいては槽５内に臨む洗濯物出入口１５を形成すると共に、該出入口１５を開閉する、この場合、２つ折り可能な蓋１６を枢着している。
【００１９】
又、このトップカバー１４の後部には、温風供給装置１７を配設している。この温風供給装置１７は、詳細には、トップカバー１４の最後部に配設した、送風羽根１８ａと、これを囲繞するケーシング１８ｂ、及び送風羽根１８ａを回転駆動するモータ１８ｃから成る送風機１８と、この送風機１８のケーシング１８ｂに連通させて該送風機１８の前方に配設したヒータケース１９、ヒータケース１９内に配設したヒータ２０、及びヒータケース１９から前記桶カバー９の後部に形成した温風吹込口２１を接続した例えば蛇腹状の接続ホース２２から成っている。
【００２０】
そして更に、トップカバー１４の前部には制御装置２３を内設している。この制御装置２３は、例えばマイクロコンピュータを主体に構成したもので、洗濯乾燥機の運転を後述のように制御する制御手段として機能するようになっている。
【００２１】
次いで、図３は、前記トップカバー１４の前部の上面に設けた操作パネル２４を示している。この操作パネル２４は、電源「入」スイッチ２５、及び電源「切」スイッチ２６を有すると共に、「スタート（一時停止）」選択スイッチ２７、「ふろ水」（給水ポンプ）使用選択スイッチ２８、「コース」選択スイッチ２９、「脱水」時間選択スイッチ３０、「すすぎ」回数選択スイッチ３１、「洗い」時間選択スイッチ３２、「予約」設定スイッチ３３、「水位」選択スイッチ３４、「槽洗浄」コース選択スイッチ３５、「乾燥」時間選択スイッチ３６、及び「そのまま乾燥」選択スイッチ３７を有しており、そのほか、それらの選択又は設定の内容や有無を表示する表示部３８〜４６を有している。
【００２２】
図４は、前記制御装置２３を中心とした電気的構成を示しており、制御装置２３には、上記操作パネル２４が有した各種スイッチ２５〜３７から各種スイッチ信号が入力されると共に、前記桶２内の水位を検知するように設けた水位センサ４７から水位検知信号が入力され、更に、前記蓋１６の開閉に応動するように設けた蓋スイッチ４８から蓋開閉応動信号が入力されると共に、前記桶２内の温度を検知するように設けた温度センサ４９から温度検知信号が入力されるようになっている。
【００２３】
そして、それらの入力並びにあらかじめ記憶された制御プログラムに基づいて、制御装置２３は、前記操作パネル２４が有した各種表示部３８〜４６を制御すると共に、報知器であるブザー５０と、槽５内（桶２内）に給水するように設けた給水弁５１、桶２内（槽５内）から排水するように設けた排水弁５２、駆動装置８（モータ）、温風供給装置１７のヒータ２０、及び送風機１８を、駆動回路５３を介して制御するようになっている。
【００２４】
そこで、以下には、上記制御装置２３で制御する洗濯乾燥機の運転について述べる。
まず、標準的な運転として、「コース」選択スイッチ２９により「標準」コースが選択され、「スタート」選択スイッチ２７により運転が開始されると、制御装置２３は最初に洗濯（洗い、すすぎ）運転中の「洗い」行程を実行する。この「洗い」行程は、洗濯物を収容した槽５内から桶２内に、給水弁５１によって供給される水（洗濯水）を溜め、この状態で、駆動装置８によって撹拌体７を回転させることにより、洗濯物を洗濯水と共に撹拌する。なお、この「洗い」行程時には、洗濯水に洗剤が含まれる。
【００２５】
「すすぎ」行程は、洗濯水に洗剤が含まれない以外、上記「洗い」行程と同様に行う。
「脱水」行程は、槽５を回転させることにより、該槽５内の洗濯物の水分を、遠心力で、槽５の周側部にある多数の通孔（図示せず）から振り切って（遠心脱水）、排水弁５２及び図示しない排水ホースを通じ機外に排出する。
なお、これらの行程は、「洗い」時間選択スイッチ３２、「すすぎ」回数選択スイッチ３１、及び「脱水」時間選択スイッチ３０の選択により、それぞれ単独にも行い得る。
【００２６】
そして、「乾燥」時間選択スイッチ３６で乾燥時間が例えば０．５、１、２、４時間の中から選択され、「スタート」選択スイッチ２７により運転が開始されると、制御装置２３は「乾燥」運転を、選択された時間、実行する。この「乾燥」運転は、温風供給装置１７を作動させながら、槽５の回転と撹拌体８の回転とを交互に行う。その槽５の回転は、例えば４０〔ｒｐｍ〕の回転速度で行うものであり、撹拌体８の回転は１４０〔ｒｐｍ〕の回転速度で間欠的に行う。
【００２７】
温風供給装置１７の作動は、送風機１８における送風羽根１８ａの回転と、ヒータ２０の発熱であり、送風羽根１８ａはその回転により、図２に矢印で示すごとく、トップカバー１４の背部の吸気口５４から外箱１外の空気をケーシング１８ｂ内に吸入し、そしてヒータケース１９内に送入する。このヒータケース１９内に送入された空気は、そこで発熱中のヒータ２０により加熱されて温風化され、すなわち、温風が生成される。この生成された温風は、接続ホース２２を通って温風吹込口２１から桶２内に吹き込み供給され、更に槽５内に吹き込み供給される。
【００２８】
このとき、その温風の吹き込み先では、前記槽５の回転と撹拌体７の回転とによって洗濯物の、槽５回転方向や上下方向の位置変えがなされており、これによって、洗濯物に対する温風の当たりが均一になされる。そして、それにより洗濯物から蒸発した水分を含んだ温風が、その後、槽５の前記多数の通孔や槽５の上端開口から出て、フィルタ１３を通り、更に、内蓋１０の通気孔１２から桶２と外箱１との間を通って、外箱１の下面の開口部３から外部に排出される。かくして、洗濯物が乾燥される。
【００２９】
これに対して、「乾燥」時間選択スイッチ３６で乾燥時間が上述同様に選択され、そして、「そのまま乾燥」選択スイッチ３７が選択されて、「スタート」選択スイッチ２７により運転が開始されると、制御装置２３は「そのまま乾燥」運転を、選択された時間、実行する。
【００３０】
図１は、この「そのまま乾燥」運転の実行内容を示しており、選択された時間、温風供給装置１７を作動させながら、槽５を回転させるが、その槽５の回転は終始低速、例えば６０〔ｒｐｍ〕以下の回転であって、特には２０〔ｒｐｍ〕の回転である。又、このとき、駆動装置８は、洗濯物に傷みを与えないように、撹拌体７をも槽５と同方向に同速度で、すなわち一体に回転させるが、撹拌体７を単独で回転させることはなく、該撹拌体７を槽５と交互に回転させることもない。なお、このとき、洗濯物は図２にＳで示すように折り畳んで撹拌体７の上に積み置くと良い。
【００３１】
このように本構成のものでは、温風供給装置１７による温風の供給をしながら、撹拌体７を単独で回転させずに、槽５を終始低速で回転させる乾燥運転（「そのまま乾燥」運転）を実行するようにしている。この乾燥運転では、洗濯物Ｓに対する温風の均一な当たりは、槽５の回転のみによってなされるが、その回転は低速での回転であるから、洗濯物Ｓに対する温風の当たりを適度にしつつ、温風の吹き込み部分に対する洗濯物Ｓの位置変えが充分になされる。
【００３２】
よって、洗濯物Ｓを均一に乾燥させるのに充分な効果が得られるものであり、そして、その場合、撹拌体７を単独で回転させることがないので、洗濯物Ｓに撹拌体７の回転による機械力が与えられることはなく、かくして、洗濯物Ｓの傷みの発生を少なくできる。又、洗濯物Ｓに撹拌体７の回転による機械力が与えられないことにより、洗濯物Ｓのしわの発生を少なくもできる。
【００３３】
なお、上記「そのまま乾燥」運転における槽５の回転は、該「そのまま乾燥」運転の途中や最後の数分間など、一時期に高速で回転されるものであっても良いもので、要するに、該「そのまま乾燥」運転中、ほゞ終始低速で回転されれば良い。
【００３４】
以上に対して、図５ないし図１９は本発明の第２ないし第８実施例を示すもので、それぞれ、第１実施例と同一の部分には同一の符号を付して説明を省略し、異なる部分についてのみ述べる。
【００３５】
［第２実施例］
図５に示す第２実施例においては、まず、撹拌体６１に、前述の撹拌体７よりも大きく、槽５の底部をほゞ全部覆う大きさの、全体としてなべ底形のものを使用している。又、この場合、図６に示すように、前述の「そのまま乾燥」運転時には、温風供給装置１７による温風の供給をしながら、槽５を回転させずに、撹拌体７を終始低速（これも、例えば６０〔ｒｐｍ〕以下の回転であって、特には２０〔ｒｐｍ〕）で回転させる乾燥運転を実行するようにしている。なお、このときにも、洗濯物は図５にＳで示すように折り畳んで撹拌体６１の上に積み置くと良い。
【００３６】
このものでは、洗濯物Ｓに対する温風の均一な当たりは、撹拌体７の回転のみによってなされるようになるが、その撹拌体７は槽５の底部をほゞ全部覆う大きさのなべ底形であって、更にその回転は低速での回転であるから、洗濯物Ｓをその上に載せたまま洗濯物Ｓの位置変えがなされるようになる。よって、洗濯物Ｓに撹拌体７の回転による機械力が与えられることがなく、洗濯物Ｓの傷みの発生を少なくできる。又、洗濯物Ｓに撹拌体７の回転による機械力が与えられないことにより、洗濯物Ｓのしわの発生を少なくもできる。
【００３７】
なお、この場合も、上記「そのまま乾燥」運転における撹拌体７の回転は、該「そのまま乾燥」運転の途中や最後の数分間など、一時期に高速で回転されるものであっても良いもので、要するに、該「そのまま乾燥」運転中、ほゞ終始低速で回転されれば良い。
【００３８】
［第３実施例］
図７に示す第３実施例においては、操作パネル２４の「そのまま乾燥」選択スイッチ３７近くに、前述の表示部４６に代えて、「温風温度」選択スイッチ７１と、それによる選択内容を表示する「デリケート」表示部７２、「通常」表示部７３を設けている。
【００３９】
この構成で、「そのまま乾燥」運転を行うときには、前述の「乾燥」時間選択スイッチ３６と「そのまま乾燥」選択スイッチ３７の操作に加えて、「温風温度」選択スイッチ７１で「デリケート」表示部７２を表示させる選択をし、「スタート」選択スイッチ２７により運転を開始させる。これにより、温風供給装置１７により供給する温風の温度を終始低く、特には他の乾燥運転である前記「乾燥」時間選択スイッチ３６による選択時間で乾燥運転する場合より低くして、該乾燥運転を実行するようにしている。
【００４０】
その温度は、具体的には図８に示すように、前記「乾燥」時間選択スイッチ３６による選択時間のみで乾燥運転する場合の温風の温度が約６０〔℃〕であるのに対して、「デリケート」表示部７２を表示させる選択をした状態での「そのまま乾燥」運転時におけるそれは約４０〔℃〕であり、その降温を、第１の手段として、例えば図９に示すように、送風機１８における送風羽根１８ａの回転速度を、前記「乾燥」時間選択スイッチ３６による選択時間のみで乾燥運転する場合の回転速度の約２８００〔ｒｐｍ〕に対して、それを約４８００〔ｒｐｍ〕に高めることにより、風量を増すことで実現するようにしている。
【００４１】
このものでは、温風の温度を低くして乾燥運転を実行するのであるから、熱による洗濯物の傷みをなくすことができる。
なお、この場合、「温風温度」選択スイッチ７１で「通常」表示部７２を表示させる選択をし、運転を開始させると、温風供給装置１７により供給する温風の温度は、前記「乾燥」時間選択スイッチ３６による選択時間のみで乾燥運転する場合と同じで、約６０〔℃〕であり、熱による傷みのない洗濯物を乾燥させる場合には、これが適する。
【００４２】
又、この場合にも、第１実施例のように、撹拌体７を単独回転させずに、槽５を終始低速回転させるようにしているが、それに代えて、第２実施例の撹拌体６１を使用し、槽５を回転させずに、該撹拌体６１を終始低速回転させるようにしても良い。
【００４３】
更に、この乾燥運転時において温風の温度を低くするのは、そのほか、第２の手段として、図１０に示すように、温度センサ４９の検知結果から、ヒータ２０を、温風の吹き込み温度が４０〔℃〕以上になったときに断電して発熱を停止させ、３５〔℃〕以下になったときに通電して発熱させる制御をすることで実現するようにしても良く、もしくは上述の風量の減少することと、ヒータ２０の発熱を制御することとの双方で実現するようにしても良い。
【００４４】
加えて、この場合も、温風の温度は、乾燥運転の途中や最後の数分間など、一時期に高温にされるものであっても良いもので、要するに、該「そのまま乾燥」運転中、ほゞ終始温度を低くして乾燥運転するものであれば良い。
【００４５】
更に、この場合の槽５の回転又は撹拌体６１の回転は、ほゞ終始低速回転されるものであれば良く、更に、その槽５の回転と撹拌体６１の回転は、それらが交互に行われるものであっても良いし、この場合、熱による洗濯物の傷みをなくすのが目的で、撹拌体７の回転による洗濯物の傷みをなくすのが目的ではないから、撹拌体６１に代えて第１実施例の撹拌体７の回転を使用するようにしても良い。
【００４６】
そして又、この場合の洗濯物の洗濯は、撹拌体７の回転によらず、槽５の回転と停止の交互繰返しによって行われるものであっても良いもので、その関係上、槽５内には撹拌体７が設けられていなくても良い。
【００４７】
［第４実施例］
図１１に示す第４実施例においては、槽５の内部に、乾燥棚８１を、撹拌体７から離間させて設置するようにしている。詳細には、槽５の内周側部に取付けた複数のフィルタ台８２が、図１２及び図１３にも示すように、被係合部である凹部８３を上下に複数有する構造であり、これに対して、乾燥棚８１は、図１４及び図１５にも示すように、外周部に、係合部である複数の爪部８４を形成している。
【００４８】
又、乾燥棚８１は、半部ずつをヒンジ８５で連結した二つ折り可能な構造で、中心部に通気孔８６を有すると共に、その周りに通気孔８７を複数有し、そのほか全体にそれらより径小な通気孔８８を多数有していて、更に、外周部に通気孔８７よりも大きな切欠部による通気孔８９を爪部８４と交互に複数有している。
【００４９】
この構成で、乾燥棚８１をヒンジ８５から二つに折って槽５内に入れ、この槽５内で開いて爪部８４をそれぞれフィルタ台８２の凹部８３の一つに係合させる。図１１は、このようにして乾燥棚８１を槽５内の中段部に設置した例を示しており、設置した乾燥棚８１は撹拌体７から離間している。なお、乾燥棚８１は、その他の段に設置しても、撹拌体７から離間するようになっている。
【００５０】
しかして、設置した乾燥棚８１の上には洗濯物Ｓを折り畳んで積み置き、この状態で温風供給装置１７による温風の供給をし、且つ、槽５並びに撹拌体７を例えば交互に回転させて洗濯物Ｓを乾燥させる。
このものでは、撹拌体７の回転による機械力が洗濯物Ｓに及ぶことが乾燥棚８１によって避けられるものであり、それによって、洗濯物Ｓの傷みの発生を少なくできるし、しわの発生を少なくもできる。
【００５１】
又、この場合、乾燥棚８１の設置位置を変えることによって、熱に弱い洗濯物は温風吹込口２１から遠くに位置させ、熱に強くて除菌をしたい洗濯物は温風吹込口２１に近く位置させて、それぞれ乾燥させるなどの用法を採ることもできる。
【００５２】
［第５実施例］
図１６に示す第５実施例においては、上記第４実施例のものにおいて、乾燥棚８１を複数段（図示例は２段）に設置している。
このものでは、複数段の乾燥棚８１を使って多くの洗濯物Ｓを乾燥させ得るし、あるいは温風の熱に強い洗濯物と弱い洗濯物など、洗濯物Ｓの種類別の乾燥が分けてできる。
【００５３】
更に、これら第４実施例及び第５実施例のいずれにおいても、槽５並びに撹拌体７を例えば交互に回転させて洗濯物Ｓを乾燥させるようにしたことにより、洗濯物Ｓの均一乾燥ができる。特にそのうちの撹拌体７の回転は、槽５内の温風の分布の均一化に効果があり、従って、槽５を回転させずに撹拌体７のみを回転させるようにしても良い。又、その撹拌体７の回転は、一方向でも良いが、正逆両方向とすることによって、槽５内の温風の分布の均一化に一層効果があり、これらによって乾燥時間の短縮化ができる。
【００５４】
［第６実施例］
図１７に示す第６実施例においては、桶カバー９の後部に、前述の温風吹込口２１に加えて、それよりも大きな温風吹込口９１をそれの下方（桶２内）に設け、そして、この温風吹込口９１に風向板９２を複数設けている。この風向板９２は、要するにルーバであり、例えば環状を成す温風吹込口９１の内部に、よろい戸のように並べて設けたもので、下方の槽５内のうち、直下位置に対するものより、遠方の位置に対するものほど大きく傾けて設けている。
【００５５】
このものでは、温風供給装置１７が供給する温風が温風吹込口９１を通る際に風向板９２によって矢印で示すように向きを調整され、その結果、温風吹込口９１から吹き出される温風が槽５の内部に満遍なく行き渡るもので、それにより、槽５内の温風の分布を均一化できることから、上述同様、乾燥時間の短縮化ができる。
【００５６】
［第７実施例］
図１８に示す第７実施例においては、前述の乾燥棚８１に代わって、乾燥棚１０１を使用するようにしている。この乾燥棚１０１は、例えば金属の線材にて矩形の金網状に形成したものであり、その四隅部にはフック１０２を有し、これをそれぞれ槽５の前記通孔に掛けて槽５内に設置する（図１９参照）。又、この乾燥棚１０１の四辺部には、それぞれ複数、特には２つずつの靴掛部１０３を突設しており、これにそれぞれ靴１０４（１つのみ図示）を掛けて乾燥棚１０１の各辺部と槽５の内周面との間に位置させることにより乾燥させる。もちろん、乾燥棚１０１上には、前述の洗濯物Ｓを畳み置いて乾燥させることができる（図１９参照）。
【００５７】
［第８実施例］
図１９に示す第８実施例においては、撹拌体７に回転羽根１１１を同心状に、そして着脱可能に取付けている。これによって、乾燥棚１０１（又は乾燥棚８１）を使用する乾燥時に撹拌体７を回転させるとき、回転羽根１１１も同時に回転して槽５内の温風を撹拌し、その分布を一層均一化できるから、乾燥時間の一層の短縮化ができる。
このほか、本発明は上記し且つ図面に示した実施例にのみ限定されるものではなく、要旨を逸脱しない範囲内で適宜変更して実施し得る。
【００５８】
【発明の効果】
以上説明したように、本発明の洗濯乾燥機によれば、洗濯物を、撹拌体の回転による機械力や温風の熱によって傷ませずに、乾燥させることができる。
【図面の簡単な説明】
【図１】本発明の第１実施例を示すタイムチャート
【図２】洗濯乾燥機全体の縦断側面図
【図３】操作パネルの拡大平面図
【図４】電気的構成のブロック図
【図５】本発明の第２実施例を示す図２相当図
【図６】図１相当図
【図７】本発明の第３実施例を示す図３部分相当拡大図
【図８】温風の温度の違いを示す図
【図９】温風の温度を低くする第１の手段を示す図
【図１０】温風の温度を低くする第２の手段を示す図
【図１１】本発明の第４実施例を示す図２相当図
【図１２】フィルタ台の部分拡大斜視図
【図１３】図１２のＡ−Ａ線断面図
【図１４】乾燥棚単体の平面図
【図１５】図１４のＢ−Ｂ線拡大断面図
【図１６】本発明の第５実施例を示す図２相当図
【図１７】本発明の第６実施例を示す図２部分相当拡大図
【図１８】本発明の第７実施例を示す乾燥棚単体の斜視図
【図１９】本発明の第８実施例を示す図２部分相当図
【符号の説明】
５は槽、７は撹拌体、８は駆動装置、１７は温風供給装置、２３は制御装置、６１は撹拌体、８１は乾燥棚、９１は温風吹込口、９２は風向板を示す。
【図１】
2004097529.tif 000003
【図２】
2004097529.tif 000004
【図３】
2004097529.tif 000005
【図４】
2004097529.tif 000006
【図５】
2004097529.tif 000007
【図６】
2004097529.tif 000008
【図７】
2004097529.tif 000009
【図８】
2004097529.tif 000010
【図９】
2004097529.tif 000011
【図１０】
2004097529.tif 000012
【図１１】
2004097529.tif 000013
【図１２】
2004097529.tif 000014
【図１３】
2004097529.tif 000015
【図１４】
2004097529.tif 000016
【図１５】
2004097529.tif 000017
【図１６】
2004097529.tif 000018
【図１７】
2004097529.tif 000019
【図１８】
2004097529.tif 000020
【図１９】
2004097529.tif 000021